(57)【特許請求の範囲】
【請求項１】
矩形状のペット用サークルの入隅部を閉塞するのに使用されるコーナー部材であって、
前記入隅部に着脱可能であって且つ該サークルの内方空間に臨む面が平面又は曲面に形成されたことを特徴とするペット用サークルの入隅部閉塞用コーナー部材。
【請求項２】
全体形状が柱状に形成されたことを特徴とする請求項１に記載のペット用サークルの入隅部閉塞用コーナー部材。
【請求項３】
全体形状がパネル状に形成されたことを特徴とする請求項１に記載のペット用サークルの入隅部閉塞用コーナー部材。
【請求項４】
全体がネットで構成されたことを特徴とする請求項１に記載のペット用サークルの入隅部閉塞用コーナー部材。
【発明の詳細な説明】
【技術分野】
【０００１】
本発明は、ペット用サークルの入隅部を閉塞することが出来るコーナー部材に関する。
【背景技術】
【０００２】
近年、屋内でペットを飼うことが多い。屋内ではリードを付けずに放し飼いされるが、来客があったとき等にペットを隔離しておきたい場合がある。また、幼児等がいる場合には、ペットを所定の位置に隔離しておきたいこともある。また屋外で飼っているペットでも、ペット用サークルを用いることもある。
【発明の開示】
【発明が解決しようとする課題】
【０００３】
しかしながら、ペットは健康な状態のものばかりでなく、老化や疾病等により衰弱してしまうペットもいる。自力での移動が困難なペットもいる。このようなペットは、例えば部屋の隅に差し掛かったときには自力で曲がることが出来ず、その場に座り込んでしまうこともあった。
【０００４】
このようなペットを従来の矩形のペット用サークルに入れると、サークルの入隅部でうずくまったまま動かなくなることがあった。衰弱しているペットが動かない状態でいると益々衰弱してしまう恐れがあり、ペットの健康上大きな問題となっていた。
【０００５】
本発明は上記課題の問題を解決すべく創案されたものであり、簡素な構成でありながら、矩形状のペット用サークルの入隅部を無くすペット用サークルの入隅部閉塞用コーナー部材を提供することを目的としたものである。
【課題を解決するための手段】
【０００６】
上記課題を解決するため、本発明に係るペット用サークルの入隅部閉塞用コーナー部材は、矩形状のペット用サークルの入隅部を閉塞するのに使用されるコーナー部材であって、前記入隅部に着脱可能であって且つ該サークルの内方空間に臨む面が平面又は曲面に形成されたことを特徴とするものである。
【０００７】
この特定事項により、入隅部にコーナー部材を用いて閉塞し、衰弱したペットが入隅部に入り込むことを防止出来るようにした。このため、衰弱したペットが入隅部でうずくまって動かなくなるといった問題はなくなり、益々衰弱していくことを防止することが出来る。
【０００８】
また、全体形状が柱状に形成されたことを特徴とする請求項１に記載のペット用サークルの入隅部閉塞用コーナー部材。
【０００９】
全体形状がパネル状に形成されたことを特徴とする請求項１に記載のペット用サークルの入隅部閉塞用コーナー部材。
【００１０】
全体がネットで構成されたことを特徴とする請求項１に記載のペット用サークルの入隅部閉塞用コーナー部材。
【００１１】
この構成によれば、コーナー部材はその全体形状が柱状でも、パネル状で形成されていてもよく、全体がネットで構成されていても入隅部を閉塞し、衰弱したペットが入隅部に入り込むことを防止することが出来る。このため、衰弱したペットが入隅部でうずくまって動かなくなるといった問題はなくなり、益々衰弱していくことを防止することが出来る。
【発明の効果】
【００１２】
本発明によれば、従来と比較し極めて容易に、衰弱したペットが入隅部でうずくまったまま動けなくなることを防止することが出来るペット用サークルを提供することが出来る。
【００１３】
また、上記コーナー部材を用いることにより、ペットの健康状態等に合わせて必要に応じて入隅部を閉塞することが出来るペット用サークルを提供することが出来る。
【発明を実施するための最良の形態】
【００１４】
以下、本発明に係るペット用サークルの入隅部閉塞用コーナー部材（以下、単にコーナー部材と呼ぶ）の実施形態について、図面を参照して説明する。
【００１５】
図１はコーナー部材の斜視図、図２、図３は、図１のコーナー部材の他の形態を表す斜視図、図４は側面パネルの端部近傍に出入口を形成したペット用サークルへコーナー部材を取付けた斜視図、図５は、図４のペット用サークルを上面から見た図、図６は、図４に示すペット用サークルの出入口を、側面パネルの中央に移設し、ペット用サークルへコーナー部材を取付けたときの上面から見た図である。
【００１６】
矩形状のペット用サークル３の角部で使用されるコーナー部材であって、前記入隅部に着脱可能であって且つ該サークルの内方空間に臨む面が平面又は曲面に形成されたことを特徴とするものである。
【００１７】
又上記コーナー部材は、全体形状が柱状に形成されたことを特徴とするものである。
【００１８】
さらに上記コーナー部材は、全体形状がパネル状に形成されたことを特徴とするものである。
【００１９】
さらに上記コーナー部材は、全体がネットで構成されたことを特徴とするものである。
【００２０】
コーナー部材は図１〜図２において例えば発泡体より成り、図３において例えば布から成るものである。このコーナー部材は、図４に示すように、側面パネル３１の組み合わせから成る矩形状のペット用サークル３の入隅部３３を閉塞するために係着されるものである。
【００２１】
コーナー部材は、図１〜図２に示す場合、発泡体製のような軟質で形成されているものである。なお、コーナー部材の材質は、発泡体製に限るものではなく、入隅部を閉塞出来るものであれば、軟質であるゴム製であっても、硬質である金属材製や合成樹脂製であってもよい。
【００２２】
又、図３に示す場合、布製のような軟質で形成されているものである。なお、コーナー部材の材質は、布製に限るものではなく、入隅部を閉塞出来るものであれば、軟質である布製であっても、硬質である金属材製や合成樹脂製であってもよい。
【００２３】
本発明に係るコーナー部材は、図１に示すような内側面が平たい形状に限るものではない。コーナー部材の形状は、入隅部の閉塞が出来るものであれば、図２のように内側面が円弧状のものであってもよいし、図３のようにシート状のものであってもよい。又、図示はしないが円柱状のものであってもよい。
【００２４】
又、本発明に係るコーナー部材は、図１〜２の場合、内部は中実に限るものではない。コーナー部材は、形状を保つことが出来るものであれば、内部は中空であってもよい。
【００２５】
さらに、本発明に係るコーナー部材は、図３に示すようにシート状の厚みが帆布やタオルのような厚みであることに限るものではない。コーナー部材は、入隅部の閉塞が出来るものであれば、厚みはフィルムのように薄くてもよい。
【００２６】
係合手段２は、図１、図２のコーナー部材を、このコーナー部材とペット用サークル３の縦材とをフックやバックル、ワイヤー等を用いて係脱自在に係着させるために形成されている。
【００２７】
又、図３に示す係合手段２は、コーナー部材の両端部に貫通孔状に形成しておき、この貫通孔に紐等を通して、側面パネル３１の縦材とを結紐させることによりコーナー部材はペット用サークル３と係脱自在に係着することが出来る。
【００２８】
本発明に係る係合手段２は、上記に示すような形状に限るものではなく、ペット用サークルに係脱自在に係着出来るものであれば、面ファスナーの雄部と雌部の一方をコーナー部材に、他方を側面パネル３１側に取着することにより、コーナー部材をペット用サークル３に係脱自在に係着するようなものであってもよい。
【００２９】
次に、以上説明したコーナー部材のペット用サークル３での使用形態について、図５及び図６を参照して説明する。
【００３０】
図５に示す例は、図４を上面から見た図である。このペット用サークル３は、出入口３２が側面パネル３１の端部近傍に形成されており、入隅部３３が３つ構成されている矩形状のペット用サークル３である。図５は、入隅部３３が三ヶ所あるペット用サークルにコーナー部材を使用した実施例である。
【００３１】
図６に示す例では、図４とは異なり、出入口３２が一枚の側面パネル３１中央に形成されており、入隅部３３が４つ構成されている矩形状のペット用サークル３である。入隅部３３が四ヶ所に構成されているペット用サークルにコーナー部材を使用した実施例である。
【００３２】
このコーナー部材により、ペット用サークル３に子犬や衰弱した犬等を入れたとしても、犬は入隅部３３に近づくことが出来ないので、入隅部３３でうずくまって動けなくなることは無くなる。このため犬が入隅部３３でうずくまって動けなくなることによる衰弱等を防止することが出来る。
【００３３】
以上の構成によるコーナー部材は、今後発売されていく新しいペット用サークルに用いることの他、すでに購入済みで家庭等にあるペット用サークルに用いることも出来る。
【図面の簡単な説明】
【００３４】
【図１】本発明に係るペット用サークルの入隅部閉塞用コーナー部材を用いた一実施形態を示す斜視図である。
【図２】図１に示すペット用サークルの入隅部閉塞用コーナー部材の他の実施形態を示す斜視図である。
【図３】図１及び２に示すペット用サークルの入隅部閉塞用コーナー部材の他の実施形態を示す斜視図である。
【図４】本発明に係るペット用サークルの入隅部閉塞用コーナー部材を用いたペット用サークルの一実施例を示す斜視図である。
【図５】図４に示すペット用サークルを上から見た図である。
【図６】図４に示すペット用サークルの出入口を、側面パネルの中心に移設し、入隅部へペット用サークルの入隅部閉塞用コーナー部材を用いたときの上から見た図である。
【符号の説明】
【００３５】
１１  内側面が平たいコーナー部材
１２  内側面が円弧状のコーナー部材
１３  シート状のコーナー部材
２    係合手段
３    ペット用サークル
３１  側面パネル
３２  出入口
３３  入隅部
【図１】
0004885897.tif 000002
【図２】
0004885897.tif 000003
【図３】
0004885897.tif 000004
【図４】
0004885897.tif 000005
【図５】
0004885897.tif 000006
【図６】
0004885897.tif 000007